(57)【要約】【課題】支持部材およびギア部の位置にかかわらず簡単な構造で、ロック解除手段である操作ボタンの位置を任意に設置できるようにする。【解決手段】図示しない支持対象物に取付けられ、支持対象物の姿勢を調整するアジャスター装置であって、支持対象物に取付けられるケース体４と、一端部がケース体４に進退可能に設置され、他端の自由端部を接地させて支持対象物を支持する支持部８と、支持部８の進退動作を規制するロック手段２と、ロック手段２のロック状態を維持するコイルスプリング５ａ、５ｂと、ロック手段のロック状態を解除する操作ボタン１ａとを備え、支持部８をケース体４に対して進退させて支持部８の自由端部と支持対象物との距離を任意に設定可能とするものとする。【選択図】図１
2006009812.tif 000002
【特許請求の範囲】
【請求項１】
支持対象物に取付けられ、該支持対象物の姿勢を調整する位置調整装置であって、
支持対象物に取付けられるケース体と、
一端部が前記ケース体に進退可能に設置され、他端の自由端部を接地させて支持対象物を支持する支持部材と、
前記支持部材の進退動作を規制するロック手段と、
前記ロック手段のロック状態を維持するロック維持手段と、
前記ロック手段のロック状態を解除するロック解除手段とを備え、
前記ケース体に対して前記支持部材を進退させることにより、前記支持部材の自由端部と前記支持対象物との距離を任意に設定可能としたことを特徴とする位置調整装置。
【請求項２】
前記ロック手段は、ギア部を備え、
前記支持部材は、前記ロック手段のギア部と噛み合い可能なギア受部を備え、
前記ロック維持手段は、前記ギア部を前記ギア受部に押し付ける方向に付勢する弾性部材を備えたことを特徴とする請求項１に記載の位置調整装置。
【請求項３】
前記ロック解除手段は、前記ギア部を前記ギア受部から離間する方向に動作可能な押し部材を備えたことを特徴とする請求項２に記載の位置調整装置。
【請求項４】
前記ロック手段は、前記ケース体に対して回動可能に軸支され、該軸支された部分を介して一方の側で前記ロック解除手段の作用を受けて前記ロック手段が回動し、他方の側に前記ギア部を設けて、前記ロック手段の回動動作に応じて、前記ロック手段によるロック／ロックの解除を行うようにしたことを特徴とする請求項２または３に記載の位置調整装置。
【請求項５】
前記ケース体に、前記支持部材を設置するための設置部と、前記ロック手段と、前記ロック維持手段と、前記ロック解除手段とを設けて一体的に構成したことを特徴とする請求項１乃至４の何れか一項に記載の位置調整装置。
【発明の詳細な説明】
【技術分野】
【０００１】
本発明は、位置調整装置に関し、特に、プロジェクタなどの電子機器類の傾きや高さを調節する位置調整装置に関するものである。
【背景技術】
【０００２】
従来、プロジェクタなどの電子機器類を床やテーブルなどに接地する際に、機器類の水平を出したり所定の姿勢に設置するために、機器類の傾きや高さを調節する必要がある場合がある。
【０００３】
そこで、簡便な作業で機器の高さ調整が行えるように、機器に調整脚を設けたものが知られている。
例えば、外装ケースにスライド可能なロック装置を装着し、プッシュ式のロック解除装置により機器の高さを調整するようにしたもの（特許文献１を参照）や、同じくスライド可能なロック装置を装着し上部に移動することでロック解除するレバーにより機器の高さを調整するようにしたもの（特許文献２を参照）などが提案されている。
【０００４】
上述した従来の調整脚は、いずれも高さ調節する為のロック解除手段の位置が支持部材のすぐ上部に設置されている。
【特許文献１】特開平１０−１０３３３１号公報
【特許文献２】特開２００２−３２７８９４号公報
【発明の開示】
【発明が解決しようとする課題】
【０００５】
しかしながら、従来の技術においては、機器の高さを調節するためのロック解除装置が機器の下部と脚座の間に設置される為、高さ調整時に機器と脚座の間に指をはさんだりすることがあった。また、機器の下部に設置される為、操作性の低下の原因にもなっていた。
【０００６】
さらに、ロック解除部分の設置箇所が自由に設定できない為に、設計上およびデザイン上の自由度の低下という問題もあった。
【０００７】
本発明は、上記従来の問題点に鑑みてなされたものであり、簡単な構成で支持対象物の高さ調整を行うことができ、さらには、ロック解除装置の取り付け位置を自由に設定することを可能にした位置調整装置を提供することを目的とするものである。
【課題を解決するための手段】
【０００８】
本発明は、位置調整装置に係り、支持対象物に取付けられ、該支持対象物の姿勢を調整する位置調整装置であって、支持対象物に取付けられるケース体と、一端部が前記ケース体に進退可能に設置され、他端の自由端部を接地させて支持対象物を支持する支持部材と、前記支持部材の伸縮動作を規制するロック手段と、前記ロック手段のロック状態を維持するロック維持手段と、前記ロック手段のロック状態を解除するロック解除手段とを備え、前記ケース体に対して前記支持部材を進退させることにより、前記支持部材の自由端部と前記支持対象物との距離を任意に設定可能としたことを特徴とするものである。
【０００９】
このように構成することで、ケース体に進退可能に設置された支持部材を任意の位置でロック手段により固定するとともに、ロック解除手段によりロック解除するようにしたので、簡単な構成で容易に支持対象物の高さを調整することができる。
【００１０】
また、ロック手段にギア部を備え、前記支持部材に前記ロック部材のギア部と噛み合い可能なギア受部を備え、前記ロック維持手段に前記ギア部を前記ギア受部に押し付ける方向に付勢する弾性部材を備えることがこのましい。
このように構成することで、ギア部とギア受部により支持部材とケース体との位置関係を多段階で調整を可能とするとともに、ロック維持手段により支持部材のロック状態を確実にすることができる。
【００１１】
さらに、前記ロック解除手段に前記ギア受部を支持部材のギア部から離間する方向に動作可能な押し部材を備えることが好ましい。
このように構成することで、例えば、押しボタンのようにロック解除手段を押すだけで、ギア部とギア受部とを離間させて支持部材のロック状態を解除することができる。
【００１２】
さらに、前記ロック手段は、前記ケース体に対して回動可能に軸支され、該軸支された部分を介して一方の側で前記ロック解除手段の作用を受けて前記ロック手段を回動し、他方の側に前記ギア部を設けて、前記ロック手段の回動動作に応じて、前記ロック手段によるロック／ロックの解除を行うようにした。
このように構成することで、軸を介してギアによるロックを行う側と反対の側で、ユーザはロック解除及びロックの復帰動作を行うことができ、ロック解除手段を危険のない任意の位置に自由に設置することができるようになる。
【００１３】
また、ロック手段はケース体の内部に設置されてもよい。
【発明の効果】
【００１４】
本発明の位置調整装置によれば、機器の形状に合わせて操作ボタンの設置位置とストローク量を任意に設定できる為、支持対象となる機器の高さや傾きの調整を容易に行うことができるという優れた効果を奏し得る。
【００１５】
詳しくは、支持対象物に取付けられて該支持対象物の姿勢を調整する位置調整装置に、支持対象物に取付けられるケース体と、前記ケース体に進退可能に設置され、自由端部を接地させて支持対象物を支持する支持部材と、前記支持部材の進退動作を規制するロック手段と、前記ロック手段のロック状態を維持するロック維持手段と、前記ロック手段のロック状態を解除するロック解除手段とを備えることで、支持部材をケース体に対して進退させて該支持部材の自由端部と支持対象物との距離を任意に設定可能にできるので、簡単な構成で容易に支持対象物の高さを調整することができる。
【発明を実施するための最良の形態】
【００１６】
以下、本発明の実施の形態について図面を参照して詳細に説明する。
図１〜図３は本発明を実施する形態の一例であって、図１は、本発明に係る実施形態のアジャスター装置の全体構成を示す分解説明図で、同一の要素を異なる方向から見た分解説明図をそれぞれ図１（Ａ），図１（Ｂ）に示すものである。また、図２は前記アジャスター装置のロック状態を示す側面断面図、図３は前記アジャスター装置のロック解除状態を示す側面断面図である。各図において、同一の符号を付した部分は同一物を表わす。
【００１７】
本実施形態は、支持対象物（図示省略）に取付けられ、支持対象物の設置状態の姿勢を調整する位置調整装置たるアジャスター装置であって、図１に示すように、主に、ロック状態を解除するロック解除手段１と、支持部８の動作を規制するロック手段２と、ロック解除手段１を維持するコイルスプリング３と、支持対象物に取付けられるケース体４と、前記ロック手段２によるロック状態を維持するコイルスプリング５ａ、５ｂと、支持部８を維持する支持部固定部材６と、支持部８の進退動作を補助するコイルスプリング７と支持対象物を支持する支持部８とを具備して、多段階で位置調整可能に構成されたものである。
【００１８】
ロック解除手段１は、図１、図２に示すように、操作ボタン１ａとシャフト部１ｂとが一体に構成された押し部材として構成され、シャフト部１ｂがロック手段２の上端部の開口２ｄに挿入され、かつシャフト部１ｂがケース体４のシャフト部係合部４ｄに係合し、操作ボタン１ａの操作方向に進退可能に取り付けられている。またコイルスプリング３が、ロック解除手段１とケース体４との間に設置され、押し込まれた操作ボタン１ａを戻す方向にロック解除手段１を付勢している。
【００１９】
ロック手段２は、図１に示すように、軸挿入部２ａを備え、この軸挿入部２ａをケース体４の軸部４ａにはめ込むことで、軸部４ａを軸として回動可能に構成されている。
【００２０】
ケース体４は、ロック解除手段１のシャフト部１ｂが進退可能に係合する係合部４ｄ、コイルスプリング３を設置するための設置部４ｅ、ロック手段２を軸支するための軸部４ａ、コイルスプリング５ａ，５ｂを支持するための受け部４ｂ、支持部固定部材６を設置するための支持固定部材設置部４ｆ、コイルスプリング７を設置するための設置部（ケース体４の内部）、支持部８を挿入する挿入部（ケース体４の下部）を有して構成される。更にケース体４には、支持対象物に固定するための固定手段４ｃが設けられている。
【００２１】
コイルスプリング５a，５ｂは、ロック手段２のコイルスプリング受け部２ｂとケース体４の受け部４ｂ部の間に設置され、ロック手段２のギア部２ｃが支持部８のギア受部８ｂに噛み合う方向に、ロック手段２を付勢している。これらコイルスプリング５ａ、５ｂは、本発明のロック維持手段として機能するものである。
【００２２】
支持部固定部材６は、ケース体４の支持部固定部材設置部４ｆに設置され、支持部８が図３のように最下端に移動した際に、支持部８の突起部８aを受ける位置に配置される。
【００２３】
支持部８は、ケース体４の挿入部に挿入され、ケース体４の内部で進退可能に設置され、本アジャスター装置を高さ方向に伸縮可能としている。またコイルスプリング７は、ケース体４と支持部８の間に設置され、支持部８を下方に移動させる方向に、すなわち支持部８の自由端部と固定手段４ｃにより固定された支持対象物との間隔を大きくする方向に、支持部８を付勢している。
【００２４】
次に、本実施形態のアジャスター装置の動作について図面を参照して説明する。
アジャスター装置は、図２に示すように、ロック手段２のギア部２ｃと支持部８のギア受部８ｂとが噛み合うことよりロック状態となり、任意の高さ（位置）で保持される。
【００２５】
アジャスター装置の高さ（位置）調整を行う場合は、図３に示すように、ユーザがロック解除手段１を押すことにより、ケース体４に対してロック手段２を回動させることができる。この動作により、ロック手段２のギア部２ｃが、支持部８のギア受部８ｂから離脱し、ロック状態が解除される。
【００２６】
このギア部２ｃとギア受部８ｂの一連の動きにより、ギア同士の噛み合いが解除されて、支持部８に対してケース体４が上下に移動可能となる。こうして、ユーザは、操作ボタン１ａを押しながら、支持部８に対するケース体４の高さを任意の位置で決めることが可能となる。
【００２７】
そして、所望の高さで支持部８とロック手段２とをロックする場合、その位置でロック解除手段１を押し込む操作を止めると、コイルスプリング５ａ、５ｂの作用により、再びギア部２ｃとギア受部８ｂとが噛み合い、支持部８はロックされる（図２）。
【００２８】
以上のように構成したので、本実施形態によれば、ユーザが操作ボタン１ａを操作するだけで、ロック手段２と支持部８とのロック／解除を行うことができ、これにより支持部８に対するケース体４の高さ、すなわち、ケース体４に固定された支持対象物の高さを簡単に調整することができる。
【００２９】
また、本実施形態によれば、ロック手段２とケース体４を軸回動可能に設置したので、回動軸となる軸部４ａ上部の任意の位置に、ロック解除手段１を設置することができる。
さらに、本実施形態では、軸部４ａからギア部２ｃの噛み込み部までの距離を調整することによって、ロック解除手段１の操作ストローク量を自由に設定することができる。
【００３０】
尚、本発明の位置調整装置は、上述した図示例にのみ限定されるものではなく、本発明の要旨を逸脱しない範囲内において種々変更を加え得ることは勿論である。
【００３１】
また、本実施形態ではロック解除手段１とロック手段２とを別部品としているが、ロック解除手段１をロック手段２に一体として設けることで、ロック解除手段１とコイルスプリング３の部品を削減することが可能である。
【００３２】
また、本実施形態では支持部８に対してケース体４を付勢するコイルスプリング７を設置しているが、ケース体４ないし支持対象部材の自重による自由落下移動を利用して、コイルスプリング７を削除することも可能である。
【図面の簡単な説明】
【００３３】
【図１】本発明に係る実施形態のアジャスター装置の全体構成を示す分解説図である。
【図２】アジャスター装置のロック状態を示す側面断面図である。
【図３】アジャスター装置のロック解除状態を示す側面断面図である。
【符号の説明】
【００３４】
１…ロック解除手段、１ａ…操作ボタン、１ｂ…シャフト部、２…ロック手段、２ａ…軸挿入部、２ｂ…コイルスプリング受け部、２ｃ…ギア部、２ｄ…開口、３…コイルスプリング、４…ケース体、４ａ…軸部、４ｂ…コイルスプリング受け部、４ｃ…固定手段、４ｄ…シャフト部係合部、４ｅ…コイルスプリングの設置部、４ｆ…支持部固定部材設置部、５ａ，５ｂ…コイルスプリング、６…支持部固定部材、７…コイルスプリング、８…支持部、８ａ…突起部、８ｂ…ギア受部。
【図１】
2006009812.tif 000003
【図２】
2006009812.tif 000004
【図３】
2006009812.tif 000005